(57)【要約】【課題】外観及び防水性に優れ、周囲の浴室の壁や天井等の振動を防止でき、尚且つ高音質の音を出力できる浴室内装板音出力システムを提供する。【解決手段】浴室の壁１又は天井２を構成する防水パネル３を備える。防水パネル３は、防水板７と、防水板７の対向する一対の端縁部の室外側の面に固着した外フレーム部８を備える。防水板７の室外側の面に防水板７を振動して浴室内に音を出力する励振器５を設ける。【選択図】図１
2008267081.tif 000002
【特許請求の範囲】
【請求項１】
浴室の壁又は天井を構成する防水パネルを備え、該防水パネルは、防水板と、防水板の対向する一対の端縁部の室外側の面に設けた外フレーム部を備え、防水板の室外側の面に防水板を振動して浴室内に音を出力する励振器を設けて成ることを特徴とする浴室内装板音出力システム。
【請求項２】
前記一対の外フレーム部間に中フレームを架設すると共に該中フレームを防水板の室外側の面に固着し、これら中フレームと外フレーム部で防水板を複数の区画に区切り、一つの区画の室外側の面に前記励振器を１個だけ設けて成ることを特徴とする請求項１に記載の浴室内装板音出力システム。
【請求項３】
音源からの音信号を増幅して励振器に入力するアンプ装置を浴室外側に配置して成ることを特徴とする請求項１又は請求項２に記載の浴室内装板音出力システム。
【請求項４】
前記励振器を浴室全体で複数備え、音源から出力した音信号をサラウンド処理して前記各励振器に入力する音処理部を設けて成ることを特徴とする請求項１乃至３のいずれか１項に記載の浴室内装板音出力システム。
【請求項５】
前記防水パネルを複数備え、前記励振器を複数の防水パネルの夫々に設けて成ることを特徴とする請求項１乃至４のいずれか１項に記載の浴室内装板音出力システム。
【発明の詳細な説明】
【技術分野】
【０００１】
本発明は壁や天井から音を出力する浴室内装板音出力システムに関する。
【背景技術】
【０００２】
従来の浴室には、図４に示すように浴室の壁１や天井２に開口部２０を設け、この開口部２０にスピーカ装置２１を組み込んだものがある。しかし、このようにスピーカ装置２１を設けた場合、浴室の内装板である壁１又は天井２とスピーカ装置２１の外観が一致せず見栄えが悪い。またスピーカ装置２１側に浴室の水が至らないよう防水する必要があり、さらにスピーカ装置２１として防錆性や耐水性の高いものを利用する必要があり、構造が複雑化しまたコストがかかる。
【０００３】
また、例えば特許文献１には天井に開口した作業口に作業口蓋を構成するスピーカ装置を設けたものがあるが、このものも天井とは別に設けたスピーカ装置が外観を阻害し、またスピーカ装置の外周縁から浴室内の水がスピーカ装置の励振器側に浸入する恐れがある。またスピーカ装置の振動が周囲の天井に伝わるという問題がある。
【特許文献１】特開２００６−１３３６３９号公報
【発明の開示】
【発明が解決しようとする課題】
【０００４】
本発明は上記従来の問題点に鑑みて発明したものであって、浴室の壁又は天井から音を出力でき、外観及び防水性に優れ、周囲の浴室の壁や天井等の振動を防止でき、尚且つ高音質の音を出力できる浴室内装板音出力システムを提供することを課題とするものである。
【課題を解決するための手段】
【０００５】
本発明に係る浴室内装板音出力システムは、浴室の壁１又は天井２を構成する防水パネル３を備え、該防水パネル３は、防水板７と、防水板７の対向する一対の端縁部の室外側の面に設けた外フレーム部８を備え、防水板７の室外側の面に防水板７を振動して浴室内に音を出力する励振器５を設けて成ることを特徴とする。このように励振器５を壁１又は天井２を構成する防水パネル３の防水板７の室外側の面に設けることで、励振器５により防水板７を振動して天井又は壁から音を出力できる。また励振器５が浴室内側に露出せず、励振器５側に浴室内の水や湿気が侵入することを防水板７によって防止できる。また外フレーム部８で防水板７を補強することができ、尚且つこの防水板７はその室外側の面における外側端部に外フレーム部８を設けたことで、励振器５による防水板７の振動が周囲の壁１や天井２に伝わることを防止できる。
【０００６】
また前記一対の外フレーム部８間に中フレーム９を架設すると共に該中フレーム９を防水板７の室外側の面に固着し、これら中フレーム９と外フレーム部８で防水板７を複数の区画１０に区切り、一つの区画１０の室外側の面に前記励振器５を１個だけ設けることが好ましい。一対の外フレーム部８間に中フレーム９を架設すると共に該中フレーム９を防水板７の室外側の面に固着することで、防水板７を更に補強することができ、尚且つこの防水板７の室外側の面に外フレーム部８と中フレーム９を設け、これら外フレーム部８及び中フレーム９によって区切られた一つの区画１０の室外側の面に励振器５を設けることで、励振器５による区画１０部分の振動が他の区画１０に伝わることを防止できる。
【０００７】
また音源からの音信号を増幅して励振器５に入力するアンプ装置１３を浴室外側に配置することが好ましい。アンプ装置１３により増幅した音を浴室内に出力できる。
【０００８】
また前記励振器５を浴室全体で複数備え、音源から出力した音信号をサラウンド処理して前記各励振器５に入力する音処理部を設けることが好ましい。浴室にサラウンド処理した音を出力できる。
【０００９】
また前記防水パネル３を複数備え、前記励振器５を複数の防水パネル３の夫々に設けることが好ましい。励振器５による防水板７の振動が他の励振器５側に伝わることを一層防止できる。
【発明の効果】
【００１０】
請求項１に係る発明では、浴室の壁又は天井から音を出力できる。また、励振器が防水パネルの防水板の室外側に位置して室内側に露出せず、外観が良い。また励振器側に浴室内の水や湿気が侵入することを防水板によって防止でき、励振器のために特別な防水構造を設ける必要がなく、また励振器として防錆性や耐水性のない安価なものを利用できる。また、防水板はその室外側の面における外側端部に外フレーム部を設けているので、励振器による防水板の振動が周囲に伝わることを防止でき、またこれにより励振器により防水板を部分的に独立して振動させることができ、高音質の音を防水板から出力できる。
【００１１】
また請求項２に係る発明では、請求項１に係る発明の効果に加えて、励振器による区画部分の振動が他の区画に伝わることを防止でき、より一層高音質の音を出力できる。
【００１２】
また請求項３に係る発明では、請求項１又は請求項２に係る発明の効果に加えて、アンプ装置により増幅した音を浴室内に出力でき、またアンプ装置を浴室外側に配置したことで、アンプ装置に浴室内の水がかかることを防止でき、またアンプ装置と加振器を接続する配線も室外に配置できる。
【００１３】
また請求項４に係る発明では、請求項１乃至請求項３のいずれか一項に係る発明の効果に加えて、浴室にサラウンド処理した臨場感のある音を出力できる。
【００１４】
また請求項５に係る発明では、請求項１乃至請求項３のいずれか一項に係る発明の効果に加えて、励振器による防水板の振動が他の励振器側に伝わることを一層防止できる。
【発明を実施するための最良の形態】
【００１５】
以下、本発明を添付図面に示す実施形態に基づいて説明する。図１に示す本実施形態の一例の浴室内装板音出力システムは平面視矩形のユニットバスに適用したものであって、浴室の四方の壁１及び天井２の夫々を複数枚の防水パネル３を並設して構成してある。浴室の床４及び壁１及び天井２には励振器５を設けてあり、これら複数の励振器５を振動することで、対応する床４又は壁１又は天井２を振動して浴室の複数箇所から音を出力できるようになっている。
【００１６】
図１に示すように励振器５は、床４に１個、対向する壁１の夫々に１個、天井２に２個設けてある。以下、特に区別する場合には、床４に設けた励振器５を床用励振器５ａ、壁１に設けた励振器５を壁用励振器５ｂ、天井２に設けた励振器５を天井用励振器５ｃと記載する。
【００１７】
床用励振器５ａは床４の浴槽６を設けた側と反対側に形成された洗い場４ａに設けてある。また壁用励振器５ｂは浴槽６側の壁１及び洗い場４ａ側の壁１に１個ずつ設けてあり、両壁用励振器５ｂは対向している。また天井用励振器５ｃは浴槽６側と洗い場４ａ側とに１個ずつ設けてあり、一方の天井用励振器５ｃは浴槽６の上方に位置し、他方の天井用励振器５ｃは洗い場４ａの上方に位置する。
【００１８】
各壁用励振器５ｂ及び各天井用励振器５ｃは壁１又は天井２を構成する防水パネル３に設けてあり、以下、図３に基づいて励振器５を設けた防水パネル３について詳述する。なお床４に設けた励振器５は床４パンの下面に固着したものである。また上記天井用励振器５ｃを設けた防水パネル３及び壁用励振器５ｂを設けた防水パネル３は同様の構成を有するものであるため、以下では天井用励振器５ｃを設けた防水パネル３についてのみ説明し、壁用励振器５ｂを設けた防水パネル３については図示及び説明を省略する。
【００１９】
図３に示すように、天井２を構成する防水パネル３は、防水性を有する合成樹脂や金属板等で形成された防水板７と、防水板７の室外側の面に固着される外フレーム部８及び中フレーム９とで構成してある。外フレーム部８は防水板７の４辺の外側端部の夫々に設けてある。防水板７の隣接する辺に設けた外フレーム部８の長手方向の端部同士は接続され、これら４本の外フレーム部８により矩形状の外枠を構成している。
【００２０】
中フレーム９は防水板７の両側端部に設けた一対の外フレーム部８間に架設してあり、これら外フレーム部８及び中フレーム９で防水板７を補強して防水パネル３としての強度を高めている。外フレーム部８及び中フレーム９は共に剛性の高い金属等の材質で形成した断面ロ字状の長尺なフレーム材で構成してあり、防水板７において前記剛性の高い外フレーム部８及び中フレーム９が固着された部分は振動がほとんど生じない非振動部となる。なお中フレーム９は１対の対向する外フレーム部８間にのみ架設してあっても良いし、２対の対向する外フレーム部８間に架設してあっても良い。さらに中フレーム９は外フレーム部８の長手方向において１本だけ設けてあっても良いし、複数本設けてあっても良い。また外フレーム部８は例えば金属製の防水板７の外側端部を背方に折曲げるなどして構成しても良い。
【００２１】
防水板７は上記外フレーム部８及び中フレーム９により複数に区切られており、これにより形成された各区画１０は前記中フレーム９及び外フレーム部８のいずれもが固着しない部分となり、振動が生じ易い振動部となる。そしてこれら防水板７の全ての区画１０のうち任意の区画１０の室外側の面に天井用励振器５ｃを設けてあり、該天井用励振器５ｃは矩形状の区画１０において対向する端縁間の中間に位置している。なお本例では１枚の防水パネル３に対して１個の励振器５を設けているが、各区画１０に１個ずつ設けるのであれば、一枚の防水パネル３に対して複数の励振器５を設けても良い。
【００２２】
上記防水板７において各区画１０の室外側の面には発泡ウレタンからなる断熱材１１を貼着してある。ここで天井用励振器５ｃを設けた区画１０に設けられる断熱材１１は天井用励振器５ｃを囲繞するように貼着してあり、この断熱材１１は防水パネル３に断熱性能を付与することに加えて、防水板７における励振器５の周囲部分の振動を抑制する役割も果たしている。なお天井用励振器５ｃを設けていない区画１０に設けられる断熱材１１は区画１０の略全面に亘って設けてある。
【００２３】
図２は本例の浴室内装板音出力システムのブロック図であって、音源１８が接続される１個のアンプ装置１３で構成した音信号入力手段と、音信号入力手段から出力された音信号が入力される前記各励振器５（壁用励振器５ｂ及び天井用励振器５ｃ及び床用励振器５ａ）を備えている。
【００２４】
アンプ装置１３に接続される音源１８としては、浴室用のテレビや、ステレオ装置等が挙げられる。アンプ装置１３は浴室の水がかからない室外側に配設してあり、具体的には浴室の天井２裏に配設してある。アンプ装置１３は、音源１８に接続されて音信号が入力される入力部１４と、入力部１４から入力した音信号をサラウンド信号に処理する音処理部１５と、音処理部１５を介して入力された音信号を増幅するアンプ部１６を備え、音処理部１５及びアンプ部１６で処理した音信号を各励振器５に割り振って出力する。なおアンプ部１６と各励振器５を接続する配線１７は例えば天井２裏や壁１裏、床４下に通されて室内に露出しないように引き廻される。また本例のアンプ装置１３は、計５個の励振器５に対して１個のアンプ部１６から音信号を割り振って入力するものである。
【００２５】
上記浴室内装板音出力システムにより浴室内に音を出力するには音源１８から音信号を出力する。これにより音源１８からの音信号は入力部１４、音処理部１５、アンプ部１６を介してアンプ装置１３から出力され、該音信号が前記２個の天井用励振器５ｃ及び２個の壁用励振器５ｂ及び１個の床用励振器５ａに入力され、これにより各励振器５により対応する防水板７の区画１０部分又は床４パンが独立して振動し、しかして各励振器５により駆動する防水板７の区画１０部分又は床４パンから音が出力される。
【００２６】
上記本例の浴室内装板音出力システムにあっては、浴室の床及び壁及び天井に設けた励振器５を駆動することで、浴室の複数箇所から音を出力して室内にサラウンドのような演出効果の高い音を出力できる。しかも壁１又は天井２に設けられる各励振器５は防水板７の室外側の面に設けたものであるので、各励振器５が浴室内側に露出せず、外観が良い。また防水性を有する防水板７により、浴室内の水が励振器５側に流れることを防止でき、励振器５のために特別に防水構造を設ける必要もない。またこの防水板７はその室外側の面における外側端部に外フレーム部８を固着したものであるので、励振器５による防水板７の振動が周囲の防水パネル３等に伝わることを防止でき、またこの場合、励振器５により防水板７を独立して振動させることができて高音質の音を防水板７から出力できる。
【００２７】
さらに本例では一対の外フレーム部８間に中フレーム９を架設すると共に中フレーム９を防水板７の室外側の面に固着し、中フレーム９と外フレーム部８で区切られた区画１０に励振器５を設けてあるので、励振器５による区画１０部分の振動が他の区画１０に伝わることを防止でき、一層高音質の音を出力できる。またアンプ装置１３を浴室外側に配置したので、アンプ装置１３に浴室内の水がかかることを防止でき、またアンプ装置１３と各励振器５を接続する配線１７も室外に配置できる。
【００２８】
なお本例では浴室の壁１及び天井２を構成する防水パネル３に上記励振器５を設けたが、壁１又は天井２のいずれか一方を構成する防水パネル３にのみ励振器５を設けても良い。また本例では外フレーム部８を防水板７の４辺に設けたが、外フレーム部８は一対の対向する２辺にのみ設けても良い。
【図面の簡単な説明】
【００２９】
【図１】本発明の実施の形態の一例の浴室内装板音出力システムを示す説明図である。
【図２】同上のブロック図である。
【図３】同上の天井を構成する防水パネルの断面図である。
【図４】従来のスピーカ装置の取付構造を示す断面図である。
【符号の説明】
【００３０】
１  壁
２  天井
３  防水パネル
５  励振器
７  防水板
８  外フレーム部
９  中フレーム
１０  区画
１３  アンプ装置
【図１】
2008267081.tif 000003
【図２】
2008267081.tif 000004
【図３】
2008267081.tif 000005
【図４】
2008267081.tif 000006